(57)【要約】【課題】電線のかみ込みを抑制できる電気接続箱を提供する。【解決手段】電気接続箱１は、ハウジング本体１０と該ハウジング本体１０の開口部を閉塞するカバーとを有するハウジング２を備える。ハウジング２は、複数の電線Ｗ１をハウジング２の内部から外部に引き出す電線引き出し口２ａを有する。ハウジング本体１０は、該ハウジング本体１０内に前記複数の電線Ｗ１を結束する結束バンドＣＴを固定する固定部１４を有する。【選択図】図２
2020188609.tif 000002
【特許請求の範囲】
【請求項１】
ハウジング本体と該ハウジング本体の開口部を閉塞するカバーとを有するハウジングを備え、
前記ハウジングは、複数の電線を前記ハウジングの内部から外部に引き出す電線引き出し口を有し、
前記ハウジング本体は、前記複数の電線を結束する結束部を前記ハウジング本体内に固定する固定部を有する、電気接続箱。
【請求項２】
前記ハウジング本体は、コネクタを保持するコネクタ保持部を有し、
前記固定部は、前記コネクタ保持部に設けられる、請求項１に記載の電気接続箱。
【請求項３】
前記コネクタ保持部は、複数の側壁により枠状に構成され、
前記固定部は、前記コネクタ保持部の外側で前記結束部を固定する態様で設けられる、請求項２に記載の電気接続箱。
【請求項４】
前記コネクタ保持部は、前記ハウジング本体の内壁面から延出するものであって、先端部が前記内壁面から離れた構成であり、
前記固定部は、前記コネクタ保持部の前記先端部に設けられる、請求項２又は３に記載の電気接続箱。
【請求項５】
前記結束部は、前記固定部に対して巻き付け固定されるものであり、
前記コネクタ保持部は、前記固定部に対する前記結束部の巻き付け固定位置を前記開口部側から確認するための確認用孔を有する、請求項２から請求項４のいずれか１項に記載の電気接続箱。
【発明の詳細な説明】
【技術分野】
【０００１】
本発明は、電気接続箱に関する。
【背景技術】
【０００２】
従来、車両において、リレーやヒューズ等の電気部品を収容する電気接続箱が用いられている（例えば特許文献１参照）。このような電気接続箱では、各種電気部品をハウジング内に集中して配設することで、交換などのメンテナンス性の向上が図られている。電気接続箱のハウジングは、例えば開口部を有するハウジング本体と、開口部を閉塞するカバーとを有している。
【先行技術文献】
【特許文献】
【０００３】
【特許文献１】特開２０１１−１２５１７４号公報
【発明の概要】
【発明が解決しようとする課題】
【０００４】
ところで、電気接続箱では、ハウジング本体とカバーとで構成されたハウジングの内部収容空間に電線が配索される。電線は、リレーやヒューズ等の電気部品に対して電線が接続され、ハウジングに設けられた引き出し口から外部に引き出されている。このとき、引き出し口からの距離によっては配索される電線が撓んでしまい、ハウジング本体に対してカバーを取り付ける際にハウジング本体とカバーとで電線を噛み込む虞があった。
【０００５】
本発明は、上記課題を解決するためになされたものであって、その目的は、電線のかみ込みを抑制できる電気接続箱を提供することにある。
【課題を解決するための手段】
【０００６】
本開示の電気接続箱は、ハウジング本体と該ハウジング本体の開口部を閉塞するカバーとを有するハウジングを備え、前記ハウジングに設けられた電線引き出し口から該ハウジングの収容空間に複数の電線の一端側が収容され、前記ハウジング本体は、該ハウジング本体内に前記複数の電線を結束する結束部を固定する固定部を有する。
【発明の効果】
【０００７】
本発明の電気接続箱によれば、電線のかみ込みを抑制できる。
【図面の簡単な説明】
【０００８】
【図１】図１は、一実施形態における電気接続箱の断面図である。
【図２】図２は、同実施形態における電気接続箱のカバーを省略した状態を示す平面図である。
【図３】図３は、同実施形態における電気接続箱の固定部について説明するための斜視図である。
【図４】図４は、同実施形態における電気接続箱の固定部について説明するための平面図である。
【図５】図５は、同実施形態における電気接続箱の確認用孔について説明するための平面図である。
【発明を実施するための形態】
【０００９】
［本開示の実施形態の説明］
最初に本開示の実施形態を列記して説明する。
本開示の電気接続箱は、
［１］ハウジング本体と該ハウジング本体の開口部を閉塞するカバーとを有するハウジングを備え、前記ハウジングは、複数の電線を前記ハウジングの内部から外部に引き出す電線引き出し口を有し、前記ハウジング本体は、該ハウジング本体内に前記複数の電線を結束する結束部を固定する固定部を有する。
【００１０】
上記態様によれば、複数の電線を結束する結束部を固定する固定部がハウジング本体内に有することで、結束部を介して複数の電線をハウジング本体内で固定することができる。これにより、ハウジング本体内における電線の撓みを抑制できるため、ハウジング本体とカバーとによる電線のかみ込みを抑制できる。
【００１１】
［２］前記ハウジング本体は、コネクタを保持するコネクタ保持部を有し、前記固定部は、前記コネクタ保持部に設けられることが好ましい。
この態様によれば、ハウジング本体が有するコネクタ保持部に設けた固定部により複数の電線が固定されることで、ハウジング本体内における電線の撓みを抑制できるため、ハウジング本体とカバーとによる電線のかみ込みを抑制できる。
【００１２】
［３］前記コネクタ保持部は、複数の側壁により枠状に構成され、前記固定部は、前記コネクタ保持部の外側で前記結束部を固定する態様で設けられることが好ましい。
この態様によれば、固定部によりコネクタ保持部の外側で結束部が固定されることで、コネクタやコネクタに接続される電線と、結束部で結束される電線とが干渉することを抑制できる。これにより、コネクタに接続される電線や端子に負荷を与えることを抑制できる。
【００１３】
［４］前記コネクタ保持部は、前記ハウジング本体の内壁面から延出するものであって、先端部が前記内壁面から離れた構成であり、前記固定部は、前記コネクタ保持部の前記先端部に設けられることが好ましい。
【００１４】
この態様によれば、固定部がコネクタ保持部の先端部に設けられることで、固定部によって固定される結束部並びに電線がコネクタ保持部を避ける態様で固定することができる。これにより、コネクタやコネクタに接続される電線と、結束部で結束される電線とが干渉することを抑制できる。
【００１５】
［５］前記結束部は、前記固定部に対して巻き付け固定されるものであり、前記コネクタ保持部は、前記固定部に対する前記結束部の巻き付け固定位置を前記開口部側から確認するための確認用孔を有することが好ましい。
【００１６】
この態様によれば、コネクタ保持部は、固定部に対する結束部の巻き付け固定位置を開口部側から確認するための確認用孔を有することで、固定部に対して結束部の巻き付け固定がされているか否かを確認することができる。
【００１７】
［本開示の実施形態の詳細］
以下、電気接続箱の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。また、図面では、説明の便宜上、構成の一部を誇張又は簡略化して示す場合がある。
【００１８】
図１及び図２に示すように、電気接続箱１は、箱状のハウジング２と、ハウジング２に装着される複数の電気部品３とを有する。本実施形態の電気接続箱１は、車両に用いられるものである。ここで、図面中のＸＹＺ軸におけるＸ軸は上下方向であって電気接続箱１の高さ方向を示し、Ｙ軸は電気接続箱１の前後方向を示し、Ｚ軸はＸＹ平面に対して直交する電気接続箱１の幅方向を示している。
【００１９】
図１及び図２に示すように、ハウジング２は、ハウジング本体１０と、該ハウジング本体１０に取り付けられるカバー２０とを有する。ハウジング本体１０並びにカバー２０は、例えば合成樹脂材からなる射出成形品である。
【００２０】
図１に示すように、カバー２０は、上側カバー２１と、下側カバー２２とを有する。
上側カバー２１は、ハウジング本体１０の上方に開口した開口部１０ａを閉塞するようにハウジング本体１０に取り付けられる。上側カバー２１とハウジング本体１０とは、例えばスナップフィットによる取り付けやねじ締結による取り付けを採用することができる。
【００２１】
下側カバー２２は、ハウジング本体１０の下方に開口した開口部１０ｂを閉塞するようにハウジング本体１０に取り付けられる。下側カバー２２とハウジング本体１０とは、例えばスナップフィットによる取り付けやねじ締結による取り付けを採用することができる。
【００２２】
図２に示すように、ハウジング本体１０は、外側筒部１１を有する。外側筒部１１は、連続する４個の側壁１１ａ，１１ｂ，１１ｃ，１１ｄを有して略四角筒状をなすように構成される。より詳しくは、外側筒部１１は、側壁１１ａと側壁１１ｂとが隣り合い、側壁１１ｂと側壁１１ｃとが隣り合い、側壁１１ｃと側壁１１ｄとが隣り合い、側壁１１ｄと側壁１１ａとが隣り合っている。また、側壁１１ａと側壁１１ｃとが対向し、側壁１１ｂと側壁１１ｄとが対向している。そして、隣り合う側壁１１ａ，１１ｂ，１１ｃ，１１ｄは互いに直交して略四角筒状をなすように構成される。ここで、「直交」とは必ずしも９０°で交わる必要はなく、概ね直交と見なされる範囲を意味する。以下の説明においても断りのない限り同様の意味として用いる。
【００２３】
図２〜図５に示すように、ハウジング本体１０は、コネクタＣを保持するコネクタ保持部１２を有する。コネクタＣには電線Ｗ２が接続される。コネクタ保持部１２は、外側筒部１１の側壁１１ａ，１１ｂ，１１ｃ，１１ｄの内の１つの側壁１１ａの内面から逆側の側壁１１ｃにかけて延出するように設けられる。コネクタ保持部１２は、４つの側壁１２ａ，１２ｂ，１２ｃ，１２ｄを有して全体が四角枠状をなすよう構成される。コネクタ保持部１２は、側壁１２ａと側壁１２ｂとが隣り合い、側壁１２ｂと側壁１２ｃとが隣り合い、側壁１２ｃと側壁１２ｄとが隣り合い、側壁１２ｄと側壁１２ａとが隣り合っている。また、側壁１２ａと側壁１２ｃとが対向し、側壁１２ｂと側壁１２ｄとが対向している。側壁１２ａは、外側筒部の側壁１１ａから所定の幅を有して延出するように設けられる。側壁１２ｂ，１２ｄは、側壁１２ａのＹ軸方向両端部からそれぞれ延出するように設けられる。側壁１２ｃは、コネクタ保持部１２の先端側に位置して側壁１２ｂと側壁１２ｄの先端部同士を連結するように設けられる。隣り合う側壁１２ａ，１２ｂ，１２ｃ，１２ｄは互いに直交して略四角筒状をなすように構成される。また、側壁１２ｃは、コネクタ保持部１２の先端部に相当する。側壁１２ｃは、側壁１１ｃの内壁面１１ｅから離れている。
【００２４】
本実施形態の電気部品３は、例えばヒューズモジュールやリレーモジュール等である。各電気部品３にはそれぞれ電線Ｗ１が接続される。電線Ｗ１は、ハウジング２に設けられた電線引き出し口２ａにより、ハウジング２の内部から外部に引き出されている。電線引き出し口２ａは、ハウジング本体１０におけるＸ軸方向の一方側（下側カバー２２側）に設けられる。より具体的には、電線引き出し口２ａは、側壁１１ｄであって側壁１１ｃ寄りに設けられる。ハウジング本体１０は、前記電線引き出し口２ａの周囲であって、ハウジング本体１０の側壁１１ｄの外側面から突出する半円筒状の案内部１３を有する。案内部１３は、その突出方向が電線Ｗ１を配索し易い方向に設定される。
【００２５】
図２〜図５に示すように、本実施形態のハウジング本体１０は、結束具としての結束バンドＣＴを挿通して固定するための固定部１４を有する。具体的には、固定部１４は、コネクタ保持部１２の先端部である側壁１２ｃに設けられる。また、固定部１４は、側壁１２ｃに形成された連通孔である。固定部１４は、側壁１２ｃのＸ軸方向一方側の面１５ａと側壁１２ｃのＺ軸方向一方側の面１５ｂとを連通するように設けられる。換言すると、固定部１４は、側壁１２ｃにおいてＸ軸方向一方側に開口する開口部１４ａと、側壁１２ｃにおいてＺ軸方向一方側に開口する開口部１４ｂとを有し、開口部１４ａと開口部１４ｂとの間が連通される。つまり、固定部１４は、断面Ｌ字状の連通孔である。
【００２６】
複数の電線Ｗ１を結束する結束バンドＣＴは、電気部品３に接続される複数の電線Ｗ１がテープＴによって一つに纏められた後に、電線Ｗ１を結束する。テープＴによる電線Ｗ１の結束位置と、結束バンドＣＴによる電線Ｗ１の結束位置とは一致している。また、テープＴによる電線Ｗ１の結束範囲（電線Ｗ１を覆う範囲）は、結束バンドＣＴの結束範囲（電線Ｗ１を覆う範囲）よりも広い。つまり、結束バンドＣＴを固定部１４に電線Ｗ１とともに巻き付け固定することでテープＴによる結束範囲で複数の電線Ｗ１を結束されることとなる。
【００２７】
図５に示すように、本実施形態のコネクタ保持部１２は、固定部１４に対する結束バンドＣＴの巻き付け固定位置を上側カバー２１側の開口部１０ｂ側から確認するための確認用孔１６を有する。確認用孔１６は、コネクタ保持部１２の側壁１２ｃのＸ軸方向他方側の面１５ｃに設けられる。確認用孔１６は、Ｘ軸方向に沿って形成されて固定部１４に連通された連通孔である。固定部１４に確認用孔１６が連通されることで、巻き付け状態における結束バンドＣＴを確認することができる。ここで、本実施形態のハウジング２は概ね黒色又は灰色の樹脂材からなる射出成形品である。このため、結束バンドＣＴを例えば白色のものを用いることで確認用孔１６から容易に確認することが可能となる。
【００２８】
本実施形態の作用を説明する。
本実施形態の電気接続箱１では、ハウジング本体１０内に結束バンドＣＴを固定する固定部１４が設けられる。これにより、結束バンドＣＴを介して複数の電線Ｗ１をハウジング本体１０内で固定される。
【００２９】
ここで、結束バンドＣＴによって結束される電線Ｗ１は、電線引き出し口２ａを始点とした際に、コネクタ保持部１２寄りも奥側に設けられた電気部品３と接続される。このため、自ずと電線Ｗ１は、コネクタ保持部１２の近傍に配索されることとなる。そのため、コネクタ保持部１２の側壁１２ｃに固定部１４を設けることで電線Ｗ１並びに結束バンドＣＴを無理なく固定できる。また、本実施形態の電線引き出し口２ａと電気部品３とはＸ軸方向においてずれた位置関係となっている。また、コネクタ保持部１２の固定部１４は、Ｘ軸方向において電線引き出し口２ａと電気部品３との間に設定されている。このため、電線Ｗ１をハウジング本体１０内において配索する際に電線Ｗ１が通る位置に固定部１４を設けることで、電線Ｗ１並びに結束バンドＣＴを無理なく固定できる。
【００３０】
本実施形態の効果を記載する。
（１）複数の電線Ｗ１を結束する結束バンドＣＴを固定する固定部１４がハウジング本体１０内に有することで、結束バンドＣＴを介して複数の電線Ｗ１をハウジング本体１０内で固定することができる。これにより、ハウジング本体１０内における電線Ｗ１の撓みを抑制できるため、ハウジング本体１０とカバー２０（下側カバー２２）とによる電線Ｗ１のかみ込みを抑制できる。電線Ｗ１のかみ込みを抑制することで、ハウジング本体１０に対してカバー２０（下側カバー２２）を容易に取り付けることができる。また、電線Ｗ１の移動を抑えることができるため、異音の発生を抑えられる。
【００３１】
（２）固定部１４によりコネクタ保持部１２の外側で結束バンドＣＴを固定することで、コネクタＣやコネクタＣに接続される電線Ｗ２と、結束バンドＣＴで結束される電線Ｗ１とが干渉することを抑制できる。これにより、コネクタＣに接続される電線Ｗ２や端子に負荷を与えることを抑制できる。
【００３２】
（３）固定部１４がコネクタ保持部１２の先端部である側壁１２ｃに設けられることで、固定部１４によって固定される結束バンドＣＴ並びに電線Ｗ１がコネクタ保持部１２を避ける態様で固定することができる。これにより、コネクタＣやコネクタＣに接続される電線Ｗ２と、結束バンドＣＴで結束される電線Ｗ１とが干渉することを抑制できる。また、下側カバー２２と電線Ｗ１との干渉が抑えられるため、電線Ｗ１により下側カバー２２が押されることを抑制できる。
【００３３】
（４）コネクタ保持部１２は、固定部１４に対する結束バンドＣＴの巻き付け固定位置を開口部側から確認するための確認用孔を有することで、固定部に対して結束部の巻き付け固定がされているか否かを確認することができる。
【００３４】
なお、上記実施形態は、以下のように変更して実施することができる。上記実施形態及び以下の変更例は、技術的に矛盾しない範囲で互いに組み合わせて実施することができる。
【００３５】
・上記実施形態では、コネクタ保持部１２の先端部である側壁１２ｃに固定部１４を備えた構成を採用したが、これに限らず、ハウジング本体１０内であれば固定部１４の位置や数を適宜変更してもよい。このとき、電線引き出し口２ａに挿通される複数の電線Ｗ１の内でハウジング本体１０内において最も長い電線の配索経路中に固定部を設けることが好ましい。
【００３６】
・上記実施形態の電気接続箱１は電線引き出し口２ａを１つ備えた構成としたが、複数備えた構成を採用してもよい。また、電線引き出し口２ａの位置は適宜変更してもよい。
・上記実施形態では特に言及していないが、案内部１３とともに電線引き出し口２ａから引き出された電線Ｗ１を結束バンドやテープ等によって結束するようにしてもよい。
【００３７】
・上記実施形態では電気接続箱１の電線引き出し口２ａの周囲に案内部１３を設ける構成を採用したが、省略した構成を採用してもよい。
・上記実施形態では、ハウジング本体１０を四角筒状としたが、これに限らず、例えば四角以外の多角筒状や円筒状としてもよい。
【００３８】
・上記実施形態では、複数の電線Ｗ１をテープＴによって１つに纏めた後に結束バンドＣＴによって複数の電線Ｗ１を結束することとしたが、テープＴを省略した構成を採用してもよい。
【００３９】
・上記実施形態の電気接続箱１では、電気部品３を複数有する構成としたが、その数は任意に変更してもよい。
【符号の説明】
【００４０】
１…電気接続箱
２…ハウジング
２ａ…電線引き出し口
３…電気部品
１０…ハウジング本体
１０ａ，１０ｂ…開口部
１１ｅ…内壁面
１２…コネクタ保持部
１２ａ…側壁
１２ｂ…側壁
１２ｃ…側壁（先端部）
１２ｄ…側壁
１４…固定部
１６…確認用孔
２０…カバー
２１…上側カバー
２２…下側カバー
Ｃ…コネクタ
ＣＴ…結束バンド（結束部）
Ｗ１，Ｗ２…電線。
【図１】
2020188609.tif 000003
【図２】
2020188609.tif 000004
【図３】
2020188609.tif 000005
【図４】
2020188609.tif 000006
【図５】
2020188609.tif 000007